(57)【要約】【課題】被搬送物を損傷もなく、安全に据付することができ、被搬送物の据付施工性が向上する搬送用治具を得る。【解決手段】被搬送物40を載置し、かつ移送するためのものであって、40の据付面に対してほぼ直交する側面に、取り付け部12を有すると共に40の据付面に対してほぼ直交する側面にフォークリフト30のフォーク31を差し込み可能なフォーク差し込み部13を有する枠体11からなる搬送用治具本体10と、12に取付けられる取付面21及び21に直交するジャッキアップ面22を有すると共に、22にシャックル取付穴24を有した搬送用治具補助具20とを備えた搬送用治具。【選択図】図１
2013147254.tif 000002
【特許請求の範囲】
【請求項１】
被搬送物を載置し、かつ移送するためのものであって、前記被搬送物の据付面に対してほぼ直交する側面に、取り付け部を有する枠体からなる搬送用治具本体と、
前記取り付け部に取付けられる取付面及びこの取付面に直交するジャッキアップ面を有すると共に、前記ジャッキアップ面にシャックル取付部を有した搬送用治具補助具と、
を備え、
前記被搬送物を搬送する際に前記搬送用治具本体と床面との間にローラのごとき転動する転動装置を配設し、前記搬送用治具本体の取り付け部に、前記搬送用治具補助具の取付面が取付けられ、この状態で前記シャックル取付部に牽引装置のロープを係止させると共に牽引装置により牽引させ、
前記被搬送物をジャッキアップするときにジャッキの昇降部を前記搬送用治具補助具のジャッキアップ面に当設させてジャッキアップするようにしたことを特徴とする搬送用治具。
【請求項２】
被搬送物を載置し、かつ移送するためのものであって、前記被搬送物の据付面に対してほぼ直交する側面に、取り付け部を有すると共に前記被搬送物の据付面に対してほぼ直交する側面にフォークリフトのフォークを差し込み可能なフォーク差し込み部を有する枠体からなる搬送用治具本体と、
前記取り付け部に取付けられる取付面及びこの取付面に直交するジャッキアップ面を有すると共に、前記ジャッキアップ面にシャックル取付部を有した搬送用治具補助具と、
を備え、
前記被搬送物をフォークリフトで搬送する際に、前記搬送用治具本体に前記被搬送物を載置し、前記フォーク差し込み部に前記フォークを差し込んだ状態でフォークリフトにより前記搬送用治具本体と前記被搬送物をともに搬送し、
前記被搬送物を搬送する際に前記搬送用治具本体と床面との間にローラのごとき転動する転動装置を配設し、前記搬送用治具本体の取り付け部に、前記搬送用治具補助具の取付面が取付けられ、この状態で前記シャックル取付部に牽引装置のロープを係止させると共に牽引装置により牽引させ、
前記被搬送物をジャッキアップするときにジャッキの昇降部を前記搬送用治具補助具のジャッキアップ面に当設させてジャッキアップするようにしたことを特徴とする搬送用治具。
【請求項３】
前記搬送用治具補助具は、前記取り付け部に取付けられる取付面と、この取付面に直交するジャッキの昇降部に当設させるジャッキアップ面とをほぼ直角に連結する連結部を有する請求項１又は請求項２に記載の搬送用治具。
【請求項４】
前記搬送用治具補助具に有するシャックル取付部は、前記ジャッキアップ面及び又は前記連結部に形成する少なくとも１個の穴である請求項１〜請求項３のいずれか１項記載の搬送用治具。
【請求項５】
前記搬送用治具補助具を、前記搬送用治具本体に対する取付けは、前記搬送用治具本体側に固着したナットと、前記搬送用治具補助具側から挿通すると共に前記ナットに螺合するボルトにより取り外し可能にした請求項１〜請求項４のいずれか１項記載の搬送用治具。
【請求項６】
前記搬送用治具本体を構成している枠体は、断面Ｈ型、断面Ｃ型、断面コ字型のいずれかである請求項１〜請求項５のいずれか１項記載の搬送用治具。
【発明の詳細な説明】
【技術分野】
【０００１】
本発明の実施形態は、例えば連系変圧器盤、交直変換器盤、インバータ盤等或いはこれらを組合わせた電力変換器盤の搬送時に使用する搬送用治具に関する。
【背景技術】
【０００２】
従来この種の搬送用治具として種々知られているが、簡単な構成で、いろいろの据付施工方法及び環境に対応可能なものが存在しなかった。
【先行技術文献】
【特許文献】
【０００３】
【特許文献１】特開２００５−１４９６０号公報
【発明の概要】
【発明が解決しようとする課題】
【０００４】
本実施形態は、このような事情に基づきなされたもので、被搬送物を損傷もなく、安全に据付することができ、被搬送物の据付施工性が向上する搬送用治具を提供することにある。
【課題を解決するための手段】
【０００５】
本実施形態の代表例は、被搬送物を載置し、かつ移送するためのものであって、前記被搬送物の据付面に対してほぼ直交する側面に、取り付け部を有する枠体からなる搬送用治具本体と、前記取り付け部に取付けられる取付面及びこの取付面に直交するジャッキアップ面を有すると共に、前記ジャッキアップ面にシャックル取付部を有した搬送用治具補助具と、を備え、前記被搬送物を搬送する際に前記搬送用治具本体と床面との間にローラのごとき転動する転動装置を配設し、前記搬送用治具本体の取り付け部に、前記搬送用治具補助具の取付面が取付けられ、この状態で前記シャックル取付部に牽引装置のロープを係止させると共に牽引装置により牽引させ、前記被搬送物をジャッキアップするときにジャッキの昇降部を前記搬送用治具補助具のジャッキアップ面に当設させてジャッキアップするようにした搬送用治具である。
【０００６】
本実施形態の代表例によれば、被搬送物を損傷もなく、安全に据付することができ、被搬送物の据付施工性が向上する搬送用治具を提供できる。
【図面の簡単な説明】
【０００７】
【図１】実施形態１の搬送用治具の分解斜視図。
【図２】図１の搬送用治具の組立状態を示す斜視図。
【図３】図１の搬送用治具の搬送用治具補助具を取外した状態を示す斜視図。
【図４】図１の搬送用治具の搬送用治具補助具を拡大して示す斜視図。
【図５】図１の搬送用治具を使用して被搬送物を搬送する状態を説明するための斜視図。
【図６】図１の搬送用治具を使用して被搬送物を搬送する状態を説明するための側面図。
【図７】搬送用治具に使用する搬送用治具補助具であって、図１及び図３とは異なる第１の例を説明するための図。
【図８】搬送用治具に使用する搬送用治具補助具であって、図１及び図３とは異なる第２の例を説明するための図。
【図９】搬送用治具に使用する搬送用治具補助具であって、図１及び図３とは異なる第３の例を説明するための図。
【図１０】搬送用治具に使用する搬送用治具補助具であって、図１及び図３とは異なる第４の例を説明するための図。
【図１１】搬送用治具に使用する搬送用治具補助具であって、図１及び図３とは異なる第５の例を説明するための図。
【図１２】搬送用治具に使用する搬送用治具補助具であって、図１及び図３とは異なる第６の例を説明するための図。
【発明を実施するための形態】
【０００８】
以下、実施形態について図面を参照して説明する。図１は実施形態１の搬送用治具の概略構成を説明するための分解斜視図であり、図２は図１における搬送用治具の組立状態を示す斜視図であり、図３は搬送用治具補助治具を搬送用治具本体（搬送用治具ベース）から取外した状態を示す斜視図である。
【０００９】
実施形態１の搬送用治具は、搬送用治具本体（搬送用治具ベース）１０と、搬送用治具補助具（ジャッキアップピース）２０を備えている。搬送用治具本体１０は、被搬送物である、例えば重さが１０ｔ近くある電力変換装置（図５及び図６の４０）を載置し、かつ電力変換装置４０を移送し所定の位置に据付固定するためのものであって、外形形状が矩形であって環状体を２個一体にした枠体１１であって、枠体１１の断面形状はＨ字型となっていて、電力変換装置４０の据付面に対してほぼ直交する側面に、搬送用治具補助具２０の取り付け部１２を有し、電力変換装置４０の据付面に対してほぼ直交する側面にフォークリフト３０（図６に示す）に有するフォーク３１を差し込み可能なフォーク差し込み部例えばフォーク差し込み穴１３を例えば４個有している。
【００１０】
搬送用治具補助具２０は、枠体１１の取り付け部１２に取付けられ、取り付け部１２に取付けられる取付面２１及びこの取付面２１に直交するジャッキ（図示せず）の昇降部に当設させるジャッキアップ面２２を有すると共に、取り付け部１２に取付けられる取付面以外のジャッキアップ面２２にシャックル取付部を有し、取り付け部１２に取付けられる取付面と、この取付面に直交するジャッキの昇降部に当設させるジャッキアップ面２２とをほぼ直角に連結する連結部２３を有している。
【００１１】
搬送用治具補助具２０に有するシャックル取付部は、少なくとも１個（具体的にはここではジャッキアップ面２２に形成した２個と、連結部２３に形成した１個の計３個）のシャックル取付穴２４を有し、シャックル取付穴２４には図５に示すようにワイヤ５０の端部に有するシャックル（Ｕ字型金具）が係止され、ワイヤ５０は図示しない牽引装置により引っ張られ、これにより搬送用治具本体１０上に載置された電力変換装置４０が所望の位置まで搬送される。
【００１２】
搬送用治具補助具２０を、搬送用治具本体１０に対する取付けは、搬送用治具本体側に固着例えば溶接により固着したナットと、搬送用治具補助具２０の取付面２１に形成されたボルト挿通穴２５から挿通すると共にナットに螺合するボルトにより取り外し可能に取付けられている。
【００１３】
以上述べた実施形態によれば、搬送用治具本体１０の取り付け部１２に、シャックル取付穴２４を有する搬送用治具補助具２０が設けられているので、種々の据付工法に対応が可能になる。具体的には、搬送用治具補助具２０と据付面との間に、ローラのごとき転動する転動装置、例えばコロ、キャスタを配設して行う据付工法のいずれにも対応可能となる。
【００１４】
搬送用治具本体１０の取り付け部１２に、ジャッキアップ面２２を有する搬送用治具補助具２０が設けられているので、ジャッキアップ据付工法が可能である。被搬送物をジャッキアップするときに具体的には、ジャッキの昇降部をジャッキアップ面２２に当設させてジャッキアップする据付工法である。
【００１５】
搬送用治具本体１０にフォーク差し込み部例えばフォーク差し込み穴１３を有しているので、フォーク差し込み穴１３にフォークリフト３０（図６に示す）に有するフォーク３１を差し込み、フォークリフト３０による据付工法ができる。
【００１６】
このように本実施形態によれば、種々の施工工法が可能であることから、屋内、屋外を問わず施工場所等の環境により施工工法を選択でき、据付施工時に電力変換装置４０の損傷もなく、安全に作業ができ、しかも現地工期の短縮が図れる。
【００１７】
図７(ａ)、(ｂ)、(ｃ)、(ｄ)〜図12(ａ)、(ｂ)、(ｃ)、(ｄ)は、いずれも前述した搬送用治具補助具２０の異なる例を示す図で、各図の(ａ)は斜視図、(ｂ)は平面図、(ｃ)は正面図、(ｄ)は側面図である。
【００１８】
図７は、図４の搬送用治具補助具２０のジャッキアップ面２２及び連結部２３に形成されていた角部の面取部２２ｃ、２３ｃを形成せずにそのまま２２、２３としたものである。
【００１９】
図８は、図7の搬送用治具補助具２０のジャッキアップ面２２及び連結部２３の外形形状を円弧状２２ａ、２３ａに形成したものである。
【００２０】
図９は、図８の搬送用治具補助具２０の取付面２１の外形形状を円弧状２１ａに形成したものである。
【００２１】
図１０は、図7の搬送用治具補助具２０のジャッキアップ面２２及び連結部２3の外形形状を三角形状２２ｄ、２3ｄに形成したものである。
【００２２】
図１１は、図7の連結部23を２つの連結部２３ｅ、２３ｅとし、これらを取付面２１及びジャッキアップ面２２の両側に設け、結果としてコ字型の枠の背面側が連結された形状である。
【００２３】
図１２は取付面２１及びジャッキアップ面２２の両端部側に連結部２３ｈ、２３ｈを設け、結果としてコ字型の枠の底面側が連結された形状である。
【００２４】
以上の実施形態の搬送用治具は、搬送用治具本体１０にフォーク差し込み部例えばフォーク差し込み穴１３を有しているものを例にあげたが、用途によってはフォーク差し込み穴１３がない搬送用治具本体１０を使用することも可能である。
【００２５】
前述の搬送用治具本体（ベース）を構成する枠体１１として断面Ｈ字型となっているものを例にあげて説明したが、断面Ｃ字型、断面コ字型のものであってもよく、また前述の実施形態では枠体１１の外形形状は矩形状であって環状のものを示したが、これ以外の形状例えば外形形状が円形形状でかつ環状のものであっても、前述の実施形態同様に実施できる。また、搬送用治具補助具２０に有するシャックル取付部は、前述の実施形態ではジャッキアップ面２２及び連結部２３に形成した３個の穴は、これに限らずジャッキアップ面２２及び又は連結部２３に形成する少なくとも１個の穴であってもよい。さらに、前述のフォークリフトのフォーク用差込穴１３を形成する位置は、重量のバランス、強度、施工のし易さを考慮して行うことはいうまでもない。
【符号の説明】
【００２６】
１０…搬送用治具本体、１１…枠体、１２…取り付け部、１３…フォーク差込み部、１４、１５…ボルト遊挿穴、２０…搬送用治具補助具、２１…取付面、２２…ジャッキアップ面、２３…連結部、２４…シャックル取付穴、２５…ボルト挿通穴、３０…フォークリフト、３１…フォーク、４０…被搬送物例えば電力変換装置、５０…ワイヤ。
【図１】
2013147254.tif 000003
【図２】
2013147254.tif 000004
【図３】
2013147254.tif 000005
【図４】
2013147254.tif 000006
【図５】
2013147254.tif 000007
【図６】
2013147254.tif 000008
【図７】
2013147254.tif 000009
【図８】
2013147254.tif 000010
【図９】
2013147254.tif 000011
【図１０】
2013147254.tif 000012
【図１１】
2013147254.tif 000013
【図１２】
2013147254.tif 000014